(57)【要約】【課題】走行中の自動車が赤信号で止まった際に、近づいて来たオートバイの二人組の一人が、助手席窓ガラスをバットで割って、助手席上に置いてあったバッグを一瞬にして奪い去るという事件が起きた。安全と言われてきた法治国家の、この日本で、前代未聞の予想も付かなかった悪質極まりないひったくり犯罪が発生した。【解決手段】この、被害と、被害者の無念が起きない為に、ひったくり防止ベルトを発明した。本ベルトは、差込と差し込まれのW機能を有した器具と、差込金具が、それぞれ両端に付いた二本の細いワイヤー入りベルトである。一方を、自動車助手席シートベルト装着箇所に、一方は助手席上のバッグの取手を通してきてW機能の装着箇所に差し込む。そして、W機能器具の表面に付いているロックスイッチを押す。この、一つを差込み、取手を通した一方も差し込み、ロックをかける簡単な操作で、座席上のバッグは、守れる。【選択図】    図１
2008024301.tif 000002
【特許請求の範囲】
【請求項１】
自動車の助手席シートベルト装着箇所を利用して、自動車助手席上に置いているバッグを、ひったくりから守る盗難防止ベルトである。一方は、差込と差し込まれの、W装着機能を有した器具が付いていて、もう一方は差し込み金具が付いた、細いワイヤー二本入りの短いベルト。W装着機能の有した器具側を自動車助手席のシートベルト装着箇所に、一方の差込金具の付いている側は自動車助手席上のバッグの取手を通してきて、W装着機能の有した器具に差し込む。この器具には自動車シートベルト装着箇所に固定する事と、解除する事、バッグを通してきた金具を固定する事と、解除する事、そして、その両方の解除をロックする機能が付いている。
【発明の詳細な説明】
【技術分野】
【０００１】
本発明は、自動車の、助手席上のバッグを、ひったくり犯罪から守るという事を考えた、盗難防止のベルトに関するものである。
【背景技術】
【０００２】
本発明は、従来から使用されている自動車シートベルトの、装着箇所を利用したものである。
【０００３】
昔から、自動車のシートベルトは、搭乗者の生命を守る為に発明された器具である。
【特許文献１】特公昭３１−０００５６２号公報
【発明の開示】
【発明が解決しようとする課題】
【０００４】
過日の盗難事件において、テレビで放映されましたが、走行中赤信号で止まった自動車の、助手席窓ガラスを割って、助手席上に置いているバッグを、一瞬にして奪うという、前代未聞の、予想も付かなかった犯罪が発生した。被害者は一瞬の出来事に唖然として、どうする事もできないままバッグを奪われてしまったとの事でした。
【０００５】
安全と言われてきた法治国家日本の、根底を覆す、自分がよければ何をしてもよいという、同じ事を繰り返す不安も否めない汚点を残したこの、一つの事件だけで何としても根絶させたいという気持ちが、心の底から湧き上がってくる。
【課題を解決するための手段】
【０００６】
本発明は、上記の、この悪質極まりない犯罪に対して、被害と、被害者の無念が、二度と起きないように、ひったくり犯罪を防止する為に、発明したベルトである。
【０００７】
本発明は、上記目的を有効に達する為に、次のような構成としている。自動車助手席上のバッグを奪われない為に、このバッグの取手に、細いワイヤー二本を編みこんだ短いベルトを通して、このベルトの両端を自動車助手席のシートベルト装着箇所を利用して、その場所に固定する。
【０００８】
このベルトを、自動車助手席シートベルト装着箇所に固定する為に，ベルトの一方の
端は差し込みと差し込まれのＷ装着機能を有した器具で、もう一方の端は差し込み金具を取り付けている。
【０００９】
Ｗ装着機能を有した器具を、自動車助手席シートベルト装着部分に差込むと、自動的に固定する。そしてバッグを通してきた一方の金具も、そのＷ装着機能を有した器具に差し込むと自動的に固定する。
【００１０】
上記、自動車助手席シートベルト装着箇所に差し込んだ、W装着機能を有した器具の表面には、上述の装着を解除させる二つのスイッチと、一つで、二つの解除スイッチをロックできるスイッチが付いている。
【００１１】
上記の一つのロックスイッチを押す事によって、上記二つの装着固定解除スイッチは、押せないようになっている。
【００１２】
上述したひったくり防止ベルトから、バッグを外したい時は、自動車助手席シートベルト装着箇所に差し込まれた器具に付いている、ロックスイッチを押し、ロックを解除して、バッグの取手を通してきたベルトが差し込まれている分の解除スイッチを、押すだけで可能となる。尚、全体を外したい時は、もう一つの解除スイッチを押すと外れる。
【発明の効果】
【００１３】
この簡単な、一つを差し込んでおいて、バッグの取手を通してきた一方も差し込み、念のためにロックスイッチを押すだけ、という単純な操作だけで、自動車助手席上の大切なバッグは、細いワイヤーが二本編みこまれたベルトで、しっかりと完全に、自動車の助手席シートベルト装着箇所に固定される。
【００１４】
上述した本発明の、ひったくり防止ベルトは、かさばらず、操作も簡単にでき、なおかつ、バッグの財産はがっちりと守ることができる。そして、加害者からは、バッグが、ベルトで繋がれていることがわかるし、バッグを引きちぎらない限り奪うことはできない。、以上のことから、加害者としては、自動車助手席上のバッグを一瞬にして奪い去るという事は、難易である。
【００１５】
上述したスイッチは、運転席側に向いている為、運転手には、安易に操作ができる。又、ロックスイッチを押しておくことで、あわてて、手とかが解除スイッチに当たっても押せないので、ひったくり防止ベルトが外れることはない。
【００１６】
本発明のベルトは、自動車の後部座席のシートベルト装着箇所にも、使用できる。
【００１７】
本発明のベルトは、大人がおもいっきり引っ張っても、装着部分は外れないし、ベルト部分も、ワイヤー二本が、縫いこまれているので容易には切れない。
【図面の簡単な説明】
【００１８】
【図１】本発明に係るひったくり防止ベルトと、W装着機能を有する器具の全体図である。
【図２】本発明に係るW装置機能を有する器具の分解図である。
【図３】本発明に係るW装着機能を有する器具の分解図である。
【符号の説明】
【００１９】
１・・・自動車助手席シートベルトに差し込む部分と、W装着機能を有する器具
２・・・装着解除スイッチ
３・・・ロックスイッチ
４・・・７の装着箇所
５・・・ひったくり防止ベルトに編み込ませた、細いワイヤー
６・・・ワイヤーを編みこみのできる、ひったくり防止ベルト地
７・・・バッグの取手を通してくる、差込金具
８・・・自動車シートベルト装着箇所に、差し込む金具
９・・・ひったくり防止ベルトが、固定している部分
１０・・各、スイッチカバー
１１・・上フタで、八本のネジで全体を止める
１２・・ロック停止窪
１３・・７を固定する爪
１４・・ロック停止玉
１５・・バネ
１６・・バネの入る穴
１７・・２５を止めるナットと、装着解除スイッチの鉄棒を受ける台で、２２に乗せる
１８・・ボルト穴
１９・・装着解除スイッチの入れる穴と、裏に鉄板の半分を掘った溝
２０・・ロックスイッチの入れる穴と、表に鉄板の半分を掘った溝
２１・・１３が出入りする穴
２２・・スイッチを操作する台
２３・・１３が入って、７をロックさせる切り込み
２４・・１２本のネジのナットの役割と、バネの止める所がある、７の差し込まれる台
２５・・外側カバー
２６・・ネジ
【図１】
2008024301.tif 000003
【図２】
2008024301.tif 000004
【図３】
2008024301.tif 000005